(57)【要約】【課題】再生された映像、音声を鑑賞しながら、勉強等の他の作業をしている時に、他の作業に集中する状態に変わると、映像、音声の再生特性を他の作業の邪魔とならないものに自動的に制御できる。【解決手段】音声の再生特性が音声制御器８によって制御され、映像の再生特性が映像制御器１１によって制御される。ユーザの視線がテレビジョン受像機のディスプレイ１３側を向いているか否かが視線検出器１４によって検出される。視線検出器１４からの検出信号に基づいて、判定部１５は、現在の状態が通常の視聴状態、「ながら」状態および「集中」状態の３個の状態の何れであるかを判定し、各状態に適応して再生特性を制御する制御信号を生成する。「ながら」の状態から「集中」の状態に変化したと判定されると、音量が下げられ、邪魔とならないものに自動的に切り替えられる。【選択図】  図１
2004312401.tif 000002
【特許請求の範囲】
【請求項１】
映像および音声を再生する再生装置であって、
ユーザの視線を検出する視線検出手段と、
上記視線検出手段によって得られた検出情報から再生される映像および音声に対するユーザの関心の程度を判定する判定手段と、
上記判定手段から得られた判定結果によって上記映像および音声の少なくとも一方の再生特性を変化させる制御手段とを有する再生装置。
【請求項２】
請求項１において、
上記視線検出手段は、視線の対象を検出する手段である再生装置。
【請求項３】
請求項１において、
上記視線検出手段は、視線の変化を検出する手段である再生装置。
【請求項４】
請求項１において、
上記判定手段は、再生される映像および音声をユーザが視聴する第１の状態と、他の作業を行いながら、上記再生される映像および音声をユーザが視聴する第２の状態と、上記他の作業に集中する第３の状態との少なくとも２つを判別する再生装置。
【請求項５】
請求項１において、
上記制御手段は、音声の再生特性を制御するデータ再生装置。
【請求項６】
請求項１において、
上記制御手段は、映像の再生特性を制御するデータ再生装置。
【請求項７】
映像および音声を再生する再生方法であって、
ユーザの視線を検出する視線検出ステップと、
上記視線検出ステップによって得られた検出情報から再生される映像および音声に対するユーザの関心の程度を判定する判定ステップと、
上記判定ステップから得られた判定結果によって上記映像および音声の少なくとも一方の再生特性を変化させる制御ステップとを有する再生方法。
【請求項８】
請求項７において、
上記視線検出ステップは、視線の対象を検出するステップである再生方法。
【請求項９】
請求項７において、
上記視線検出ステップは、視線の変化を検出するステップである再生方法。
【請求項１０】
請求項７において、
上記判定ステップは、再生される映像および音声をユーザが視聴する第１の状態と、他の作業を行いながら、上記再生される映像および音声をユーザが視聴する第２の状態と、上記他の作業に集中する第３の状態との少なくとも２つを判別する再生方法。
【請求項１１】
請求項７において、
上記制御ステップは、音声の再生特性を制御するデータ再生方法。
【請求項１２】
請求項７において、
上記制御ステップは、映像の再生特性を制御するデータ再生方法。
【発明の詳細な説明】
【０００１】
【発明の属する技術分野】
この発明は、例えばテレビジョン受像機に適用可能な再生装置および再生方法に関する。
【０００２】
【従来の技術】
テレビジョン受像機を見ながら勉強したり、読書したりすることがある。このような状態は、所謂「ながら」の状態である。
【０００３】
ユーザの生体情報と個人認証とを使用して、テレビジョン受像機の輝度等の設定をユーザ毎の好みの輝度レベルに設定することが下記の特許文献１に記載されている。
【０００４】
【特許文献１】
特開平１０−２１１１７７号公報
【０００５】
【発明が解決しようとする課題】
「ながら」の状態は、テレビジョン受像機の視聴と、勉強等の他の作業との両方にユーザの関心が向けられている状態である。「ながら」の状態から文章を書く等の他の作業へ集中する状態（「集中」と適宜表記する）に変化する場合が生じる。この「集中」の状態では、テレビジョン受像機の映像や、音声が集中の邪魔と感じられることがある。上記特許文献１には、「ながら」と「集中」とで、再生される映像または音響の再生特性を変化させることについては、何ら記載されていない。
【０００６】
したがって、この発明の目的は、「ながら」の状態と「集中」の状態に応じて、映像および音響の少なくとも一方の再生特性を変化させるようにした再生装置および再生方法を提供することにある。
【０００７】
【課題を解決するための手段】
上述した課題を解決するために、請求項１の発明は、映像および音声を再生する再生装置であって、ユーザの視線を検出する視線検出手段と、視線検出手段によって得られた検出情報から再生される映像および音声に対するユーザの関心の程度を判定する判定手段と、判定手段から得られた判定結果によって映像および音声の少なくとも一方の再生特性を変化させる制御手段とを有する再生装置である。請求項７の発明は、判定ステップから得られた判定結果によって映像および音声の少なくとも一方の再生特性を変化させる制御ステップとを有する再生方法である。
【０００８】
この発明では、ユーザの視線の対象を判別することによって再生される映像および音声に対するユーザの関心の程度を判定する。関心の程度には、再生される映像および音声をユーザが視聴する第１の状態（通常の視聴状態）と、他の作業を行いながら、再生される映像および音声をユーザが視聴する第２の状態（「ながら」状態）と、他の作業に集中する第３の状態（「集中」状態）とが含まれる。この判定結果に基づいて、各状態に適応して映像および音声の少なくとも一方の再生特性が制御される。
【０００９】
【発明の実施の形態】
以下、この発明によるデータ再生装置の一実施形態について図１を参照して説明する。図１は、全体としてディジタル放送を受信するテレビジョン受像機を全体として示す。参照符号１は、受信アンテナを示し、受信アンテナ１の受信信号が低雑音増幅器２において、復調に必要なレベルまで増幅される。低雑音増幅器２の出力信号がディジタル復調器３に供給される。
【００１０】
ディジタル復調器３は、搬送波の振幅や、位相に埋め込まれている情報を取り出す。ディジタル復調器３は、例えば搬送波再生回路、同期検波回路、シンボルタイミング回路、符号判別回路から構成されている。ディジタル復調器３の出力信号が誤り訂正回路４に供給される。送信側で誤り訂正符号が付加され、誤り訂正回路４において伝送路で生じた符号誤りが訂正される。誤り訂正回路４の出力信号がデマルチプレクサ５に供給される。
【００１１】
デマルチプレクサ５は、多重化されている映像、音声およびデータをそれぞれ分離して出力する。分離された音声情報が音声デコーダ６にて復号される。分離された映像情報が映像デコーダ７にて復号される。例えば映像デコーダ７は、ＭＰＥＧ２（Ｍｏｖｉｎｇ  Ｐｉｃｔｕｒｅ  Ｅｘｐｅｒｔｓ  Ｇｒｏｕｐ  Ｐｈａｓｅ  ２）の復号を行う。なお、ディジタル放送の場合では、送信データに対してスクランブルを施して特定の視聴者のみが受信が可能とされていることが多く、その場合には、スクランブルを解除するためのデスクランブラが設けられる。
【００１２】
音声デコーダ６からのディジタル音声信号が音声制御器８および音声増幅器９を介してスピーカ１０に供給される。実際には、ステレオの左右チャンネルに対応して二つの音声信号路が設けられている。映像デコーダ７からのディジタル映像信号が映像制御器１１および映像増幅器１２を介してディスプレイ１３に供給される。必要に応じて映像信号処理回路が設けられる。ディスプレイ１３は、ＣＲＴ（Ｃａｔｈｏｄｅ  Ｒａｙ  Ｔｕｂｅ）、ＦＰＤ（Ｆｌａｔ  Ｐａｎｅｌ  Ｄｉｓｐｌａｙ）等である。音声制御器８および映像制御器１１のそれぞれには、ディジタル信号をアナログ信号へ変換するＤ／Ａ変換器が設けられている。後述するような音声および映像の再生特性の制御は、ディジタル的およびアナログ的の何れによっても可能である。
【００１３】
参照符号１４は、ユーザの視線がテレビジョン受像機のディスプレイ１３側を向いているか否かを検出する視線検出器である。すなわち、視線検出器１４は、視線の対象がディスプレイか、それ以外かを検出する。視線がディスプレイ側に向いている時には、ユーザがテレビジョン受像機による音声および映像を視聴している視聴状態、および勉強、読書等の他の作業をしながら音声および映像を視聴している「ながら」状態かの何れかと推定できる。一方、視線がディスプレイに向いていない時には、他の作業にのみ関心が向いている「集中」状態と推定できる。
【００１４】
視線検出器１４からの検出信号が判定部１５に供給され、判定部１５から音声制御器８および映像制御器１１のそれぞれに対する制御信号が発生する。判定部１５は、通常の視聴状態、「ながら」状態および「集中」状態の３個の状態の何れであるかを判定し、各状態に適応して音声信号および映像信号の再生特性を制御する制御信号を生成する。どのような制御を行うかは、予め設定されていると共に、ユーザが制御の内容を変更することが可能とされている。
【００１５】
音声制御器８は、判定部１５からの制御信号によって、例えば音量レベルを制御するものである。視聴状態における音量が最適（通常の放送受信時のレベルまたはそれ以上のレベルを意味する）とされ、「集中」状態における音量が最小（音声のオフを含む）とされ、「ながら」状態における音量が両方の間のレベルとされる。
【００１６】
音声制御器８は、周波数帯域を可変したり、所定周波数帯域の強調または抑制を行うものであっても良い。例えば視聴状態における帯域幅が最も広く（通常の放送受信時の帯域幅またはそれ以上広い帯域を意味する）され、「集中」状態における帯域幅が最も狭くされ、「ながら」状態における帯域幅が両方の間の帯域幅とされる。高域側の成分をカットし、または低域側の成分をカットすることによって、帯域幅が狭くされる。さらに、低域側の成分および高域側の成分のブースト量を制御するようにしても良い。すなわち、「集中」状態が最もブースト量が少なくされる。さらに、２以上の音声制御方法を組み合わせるようにしても良い。
【００１７】
映像制御器１１は、判定部１５からの制御信号によって、映像の再生特性例えば輝度レベルを制御するものである。視聴状態における輝度レベルが最適（通常の放送受信時の輝度レベルまたはそれ以上の輝度レベルを意味する）とされ、「集中」状態における輝度レベルが最小（映像のオフを含む）とされ、「ながら」状態における輝度レベルが両方の間のレベルとされる。映像制御器１１は、解像度を制御するものであっても良い。例えば視聴状態における解像度が最適（通常の放送受信時の解像度またはそれ以上高い解像度を意味する）とされ、「集中」状態における解像度が最も低いものとされ、「ながら」状態における解像度が両方の間のものとされる。輝度レベルおよび解像度以外にコントラストを制御しても良い。さらに、集中時には、テレビジョン映像を表示しないで、代わりの映像（風景等）を表示するようにしても良い。
【００１８】
視線検出器１４は、一例として、テレビジョン受像機等の再生装置にＣＣＤ等の撮像素子を取り付け、撮像画像を解析することによって、ユーザがディスプレイ１３を注視しているのか（視聴状態）、時々ディスプレイを見ているのか（「ながら」状態）、または全然見ていないのか（「集中」状態）を判定する構成とされている。視線検出器１４では、５分、１０分等の所定の時間間隔毎にユーザがディスプレイ側を見ている時間の長さが検出される。
【００１９】
視線検出器１４の他の構成としては、ユーザのなるべく眼の近くに装着された発光ダイオード等の発光素子と、テレビジョン受像機に設けられ、発光素子からの光を受光する受光部とからなる構成も可能である。ユーザの視線がテレビジョン受像機のディスプレイ側に向いている時にのみ、発光ダイオードからの光を受光部が受光できる。また、ユーザの頭、顔等に方向センサーを設け、正面のディスプレイ側を向いているか否かを検出し、検出した結果をテレビジョン受像機にワイヤレスで伝送しても良い。
【００２０】
視線検出器１４は、ユーザの視線の対象を検出する以外に視線の変化を検出する構成であっても良い。すなわち、視線の動きの程度から「ながら」状態、視聴状態および「集中」状態が判定される。例えばユーザの視線が比較的静止している場合を視聴状態であると判定し、視線が動いている場合を「ながら」状態であると判定する。「集中」状態は、視線がディスプレイに向いていないことから検出される。
【００２１】
図２は、この発明の一実施形態における判定部１５における処理の流れを示すフローチャートである。ステップＳ１において、視線検出器１４による視線検出がなされる。ステップＳ２において、検出結果からテレビジョン受像機のディスプレイを見ている割合が検出される。一例として所定時間毎にディスプレイを見ている時間の長さの合計が算出される。
【００２２】
ステップＳ３では、ディスプレイを見ている割合がかなり高い（例えば９０％以上）か否かが判定される。９０％以上であると判定されると、ステップＳ４において、通常のテレビジョン放送を視聴している状態に映像信号および音声信号が制御される（図２では標準再生と表記されている）。この視聴状態では、映像信号および音声信号がユーザにとって最適な再生特性で再生される。
【００２３】
ステップＳ３で、９０％以上でないと判定された場合には、次に、ステップＳ５において、例えば１０％以上か否かが判定される。そうであると判定されると、「ながら」状態と判定され、ステップＳ６において、映像信号および音声信号の再生特性が「ながら」に適応したものに制御される。ステップＳ５において、ディスプレイを見ている割合が１０％以上でないと判定されると、「集中」状態と判定され、ステップＳ７において、映像信号および音声信号の再生特性が「集中」状態に適応したものに制御される。
【００２４】
上述したこの発明の一実施形態では、テレビジョンを視聴しながら、他の作業をしている「ながら」の状態において、他の作業に集中したい時には、再生される映像および音声の少なくとも一方が集中を妨げないような特性でもって再生される。この切り替えは、自動的になされるので、ユーザがキー等を操作する必要がない。
【００２５】
次にこの発明をディスク再生装置に対して適用した他の実施形態について、図３を参照して説明する。図３において、参照符号２１が例えばマスタリング、レプリケーションの工程で作成されたディスク例えば例えばＤＶＤ（Ｄｉｇｉｔａｌ  Ｖｅｒｓａｔｉｌｅ  Ｄｉｓｃ）  を示す。参照符号２２がディスク２１を回転駆動するスピンドルモータであり、２３がディスク２１に記録された信号を再生するための光ピックアップである。
【００２６】
光ピックアップ２３は、レーザ光をディスク２１に照射する半導体レーザ、対物レンズ等の光学系、ディスク２１からの戻り光を受光するディテクタ、フォーカスおよびトラッキング機構等からなる。さらに、光ピックアップ２３は、スレッド機構（図示しない）によって、ディスク２１の径方向に送られる。光ピックアップ２３は、光ディスク２１の信号面に半導体レーザの光ビームを集光しつつ、光ディスク２１上にスパイラル状に形成されたトラック上にデータを記録する。光ピックアップ２３全体がスレッド機構により移動される。
【００２７】
光ピックアップ２３の例えば４分割ディテクタからの出力信号がＲＦ部２４に供給される。ＲＦ部２４は、４分割ディテクタの各ディテクタの出力信号を演算することによって、再生（ＲＦ）信号、フォーカスエラー信号、トラッキングエラー信号を生成する。再生信号がＥＦＭプラス復調部２５に供給され、ＥＦＭプラスの復調の処理を受ける。ＥＦＭプラスにおいては、８ビットのデータシンボルを１６チャンネルビットのコードワードへ変換される。この変換のためのコード変換テーブルとして、４種類のテーブルが用意されている。各テーブルは、その時の状態１〜状態４に応じて選択され、また、各テーブルでは、コードワードが選択された後の状態（次の状態）が規定されている。
【００２８】
フォーカスエラー信号、トラッキングエラー信号がサーボ部２６に供給される。サーボ部２６は、ＲＦ信号の再生クロックに基づいてスピンドルモータ２２の回転動作を制御したり、光ピックアップ２３のフォーカスサーボ、トラッキングサーボを制御する。サーボ部２６に対して再生装置全体の動作を制御するシステムコントローラ２７からの制御信号が供給され、ディスク２１上の所望の位置にアクセスすることが可能とされている。システムコントローラ２７と関連してユーザが操作するキー２８および表示部２９が設けられている。表示部２９は、液晶からなり、動作モード、再生位置等を表示する。
【００２９】
ＥＦＭプラス復調部２５からのディジタルデータは、ＲＳ−ＰＣ（Ｒｅｅｄ−Ｓｏｌｏｍｏｎ  Ｐｒｏｄｕｃｔ  Ｃｏｄｅ）デコーダ３０に供給され、エラー訂正の処理を受ける。ＲＳ−ＰＣは、リード・ソロモン符号と積符号とを組み合わせた誤り訂正符号である。ＲＳ−ＰＣデコーダ３０の出力信号がセクタ分解回路３１に供給される。セクタ分解回路３１の出力信号がデマルチプレクサ３２およびアドレスデコーダ３３に供給される。
【００３０】
アドレスデコーダ３３によって再生アドレスが得られ、再生アドレスがサーボ部２６、システムコントローラ２７および表示部２９に供給される。サーボ部２６において再生アドレスを使用してディスク上の目標位置へのアクセスが制御される。表示部２９において、再生中の位置が表示される。
【００３１】
デマルチプレクサ３２において、符号化音声データと符号化映像データとが分離される。符号化音声データが音声デコーダ３４において復号され、音声デコーダ３４からの音声データが音声制御器３６に供給される。音声制御器３６は、システムコントローラ２７からの制御信号によって音声の再生特性を制御する。符号化映像データが映像デコーダ３５において復号され、映像デコーダ３５からの映像データが映像制御器３７に供給される。映像制御器３７は、システムコントローラ２７からの制御信号によって音声の再生特性を制御する。
【００３２】
音声制御器３６および映像制御器３７のそれぞれには、ディジタル信号をアナログ信号へ変換するＤ／Ａ変換器が設けられている。ディジタル的およびアナログ的の何れかの処理によって、上述した一実施形態におけるのと同様に、音声信号および映像信号の再生特性が制御される。音声制御器３６から出力された音声信号が図示しないが、音声増幅器を介してスピーカに供給され、映像制御器３７から出力された映像信号が図示しないが、映像増幅器を介してディスプレイに供給される。
【００３３】
上述した一実施形態におけるものと同様の視線検出器３８が設けられ、視線検出器３８からの検出信号がシステムコントローラ２７に供給される。システムコントローラ２７は、図２を参照して説明した処理と同様の処理を行い、ディスプレイを見ている割合に応じて、現在のユーザの状態が視聴状態、「ながら」状態、「集中」状態の何れであるかを判別し、判別結果に応じた制御信号を生成する。音声および映像に対する制御は、上述した一実施形態におけるものと同様になされる。
【００３４】
上述したこの発明の他の実施形態においても、ディスク２１に記録されている映画等のビデオソフトを鑑賞しながら他の作業を行っている「ながら」の状態において、他の作業に集中したい時には、再生される映像および音声の少なくとも一方が集中を妨げないような特性でもって再生される。この切り替えは、自動的になされるので、ユーザがキー等を操作する必要がない。
【００３５】
この発明は、上述したこの発明の一実施形態等に限定されるものでは無く、この発明の要旨を逸脱しない範囲内で様々な変形や応用が可能である。例えばテレビジョン受像機およびディスク再生装置に限らず、ＶＴＲ、プロジェクタ、パーソナルコンピュータ等の再生装置に対してもこの発明を適用できる。
【００３６】
【発明の効果】
以上の説明から明らかなように、この発明によれば、「ながら」の状態において、他の作業に集中したい時には、再生される映像および音声の少なくとも一方が集中を妨げないような特性でもって再生されるように、自動的に切り替えることができる。また、通常の映像および音声を鑑賞している視聴状態と、「ながら」の状態との自動的な切り替えを行うことができる。
【図面の簡単な説明】
【図１】この発明の一実施形態による再生装置の構成を示すブロック図である。
【図２】この発明の一実施形態の動作を説明するためのフローチャートである。
【図３】この発明の他の実施形態による再生装置の構成を示すブロック図である。
【符号の説明】
５・・・デマルチプレクサ、６・・・音声デコーダ、７・・・映像デコーダ、８・・・音声制御器、１１・・・映像制御器、１４・・・視線検出器、１５・・・判定部、２１・・・光ディスク、２５・・・ＥＦＭプラス復調部、２７・・・システムコントローラ、３２・・・デマルチプレクサ、３４・・・音声デコーダ、３５・・・映像デコーダ、３６・・・音声制御器、３７・・・映像制御器、３８・・・視線検出器
【図１】
2004312401.tif 000003
【図２】
2004312401.tif 000004
【図３】
2004312401.tif 000005